【手続補正書】
【提出日】令和2年9月24日(2020.9.24)
【手続補正１】
【補正対象書類名】明細書
【補正対象項目名】０００６
【補正方法】変更
【補正の内容】
【０００６】  上記目的を達成するために、本発明に係る爪装飾方法は、
爪甲の表面における第１領域に第１ジェルの塊を載置する第１ジェル載置ステップと、
ジェルブラシを前記第１ジェルに接触させた状態で、爪甲における爪上皮との境界部分からの距離が前記第１領域の中央部と爪上皮との間の最短距離よりも短い領域内において前記ジェルブラシで螺旋を描くように、前記ジェルブラシを前記境界部分に沿って移動させていくことにより、前記第１領域に載置された前記第１ジェルを爪甲の表面に沿って爪上皮に向かって引き延ばしつつ爪甲における爪上皮との境界部分に沿って引き延ばした後、側爪甲縁に沿って前記第１ジェルを引き延ばすことにより、前記境界部分から前記側爪甲縁に至る第２領域全体に前記第１ジェルを塗布する第１ジェル塗布ステップと、
爪甲において前記第１領域と重なり且つ前記第１領域よりも爪先側に位置する第３領域に第２ジェルの塊を載置する第２ジェル載置ステップと、
前記ジェルブラシを用いて、前記第２ジェルで一方の側爪甲縁を包むようにして前記一方の側爪甲縁に沿って爪先に向かう方向へ前記第２ジェルを引き延ばすことにより、爪上皮から爪先へ向かう第１方向に直交する第２方向における爪甲の両端部それぞれの第４領域のうちのいずれか一方に前記第２ジェルを塗布した後、前記第３領域に載置された前記第２ジェルを爪先に向かって引き延ばすことにより、爪甲の前記第３領域よりも爪先側における前記第４領域以外の第５領域全体に前記第２ジェルを塗布し、その後、前記第２ジェルで他方の側爪甲縁を包むようにして前記他方の側爪甲縁に沿って爪先に向かう方向へ前記第２ジェルを引き延ばすことにより、前記第２方向における爪甲の両端部それぞれの第４領域のうちの他方に前記第２ジェルを塗布する第２ジェル塗布ステップと、
前記第１ジェルおよび前記第２ジェルを硬化させることにより爪甲の表面に樹脂層を形成する樹脂層形成ステップと、
側爪甲縁における２つのストレスポイントよりも爪上皮側の部分および前記境界部分に沿った予め設定された基準長さ以上の幅を有する第６領域に形成された樹脂層を、先端部に円筒状の砥石が取り付けられ前記砥石が前記砥石の中心軸と一致する軸周りに回転する研削工具により研削する第１研削ステップと、
爪甲の２つのストレスポイントよりも爪先側の部分の前記第２方向における両端部それぞれに位置する２つの第７領域に形成された樹脂層を、前記研削工具により研削する第２研削ステップと、
爪甲の前記２つの第７領域の間における前記２つのストレスポイントよりも爪先側に位置する第８領域に形成された樹脂層を、前記研削工具により研削する第３研削ステップと、
を含み、
前記第２ジェル塗布ステップにおいて、前記ジェルブラシを、爪甲の爪先に移動させたとき、前記爪甲の爪先で前記ジェルブラシの移動を停止させることなく同じ方向へ移動させ続け、
前記第１研削ステップにおいて、前記砥石の回転軸と、指の延在方向に沿った中心軸と爪甲の爪上皮との境界部分との交点と前記２つのストレスポイントとを結ぶ仮想直線と、のなす鋭角側の角度は、３０°以上且つ５０°以下の角度に設定され、
前記第２研削ステップにおいて、前記砥石の回転軸と、指の延在方向に沿った中心軸と、のなす鋭角側の角度は、８５°以上且つ９０°以下の角度に設定され、
前記第３研削ステップにおいて、前記砥石の回転軸と、指の延在方向に沿った中心軸と、のなす鋭角側の角度は、８５°以上且つ９０°以下の角度に設定される。
【手続補正２】
【補正対象書類名】特許請求の範囲
【補正対象項目名】全文
【補正方法】変更
【補正の内容】
【特許請求の範囲】
【請求項１】
爪甲の表面における第１領域に第１ジェルの塊を載置する第１ジェル載置ステップと、
ジェルブラシを前記第１ジェルに接触させた状態で、爪甲における爪上皮との境界部分からの距離が前記第１領域の中央部と爪上皮との間の最短距離よりも短い領域内において前記ジェルブラシで螺旋を描くように、前記ジェルブラシを前記境界部分に沿って移動させていくことにより、前記第１領域に載置された前記第１ジェルを爪甲の表面に沿って爪上皮に向かって引き延ばしつつ爪甲における爪上皮との境界部分に沿って引き延ばした後、側爪甲縁に沿って前記第１ジェルを引き延ばすことにより、前記境界部分から前記側爪甲縁に至る第２領域全体に前記第１ジェルを塗布する第１ジェル塗布ステップと、
爪甲において前記第１領域と重なり且つ前記第１領域よりも爪先側に位置する第３領域に第２ジェルの塊を載置する第２ジェル載置ステップと、
前記ジェルブラシを用いて、前記第２ジェルで一方の側爪甲縁を包むようにして前記一方の側爪甲縁に沿って爪先に向かう方向へ前記第２ジェルを引き延ばすことにより、爪上皮から爪先へ向かう第１方向に直交する第２方向における爪甲の両端部それぞれの第４領域のうちのいずれか一方に前記第２ジェルを塗布した後、前記第３領域に載置された前記第２ジェルを爪先に向かって引き延ばすことにより、爪甲の前記第３領域よりも爪先側における前記第４領域以外の第５領域全体に前記第２ジェルを塗布し、その後、前記第２ジェルで他方の側爪甲縁を包むようにして前記他方の側爪甲縁に沿って爪先に向かう方向へ前記第２ジェルを引き延ばすことにより、前記第２方向における爪甲の両端部それぞれの第４領域のうちの他方に前記第２ジェルを塗布する第２ジェル塗布ステップと、
前記第１ジェルおよび前記第２ジェルを硬化させることにより爪甲の表面に樹脂層を形成する樹脂層形成ステップと、
側爪甲縁における２つのストレスポイントよりも爪上皮側の部分および前記境界部分に沿った予め設定された基準長さ以上の幅を有する第６領域に形成された樹脂層を、先端部に円筒状の砥石が取り付けられ前記砥石が前記砥石の中心軸と一致する軸周りに回転する研削工具により研削する第１研削ステップと、
爪甲の２つのストレスポイントよりも爪先側の部分の前記第２方向における両端部それぞれに位置する２つの第７領域に形成された樹脂層を、前記研削工具により研削する第２研削ステップと、
爪甲の前記２つの第７領域の間における前記２つのストレスポイントよりも爪先側に位置する第８領域に形成された樹脂層を、前記研削工具により研削する第３研削ステップと、
を含み、
前記第２ジェル塗布ステップにおいて、前記ジェルブラシを、爪甲の爪先に移動させたとき、前記爪甲の爪先で前記ジェルブラシの移動を停止させることなく同じ方向へ移動させ続け、
前記第１研削ステップにおいて、爪甲の前記第２方向における中心を通り且つ前記第１方向に延伸する第１仮想直線と爪甲の爪上皮との境界部分との交点と、前記２つのストレスポイントと、を結ぶ第２仮想直線を規定したときに、前記砥石の回転軸と前記第２仮想直線とのなす鋭角側の角度は、３０°以上且つ５０°以下の角度に設定され、
前記第２研削ステップにおいて、前記砥石の回転軸と前記第１仮想直線とのなす鋭角側の角度は、８５°以上且つ９０°以下の角度に設定され、
前記第３研削ステップにおいて、前記砥石の回転軸と前記第１仮想直線とのなす鋭角側の角度は、８５°以上且つ９０°以下の角度に設定される、
爪装飾方法。
【請求項２】
平面視において、爪甲の前記第２方向の両側の側爪甲縁が側爪郭に接している部分における、前記第６領域の前記第２方向の幅の平均長さと、前記第６領域を除く第９領域の前記第２方向の幅の平均長さと、の差分が、予め設定された第１基準長さ以下である、
請求項１に記載の爪装飾方法。
【請求項３】
平面視において、前記第８領域の前記第１方向の最大長さと、爪甲の２つのストレスポイントよりも爪先側の部分の前記第７領域および前記第８領域を除く第１０領域の前記第１方向の最大長さと、の差分が、予め設定された第２基準長さ以下である、
請求項１または２に記載の爪装飾方法。
【請求項４】
平面視において、前記第１仮想直線上における爪上皮と爪甲との境界と爪先との間の線分を２等分する位置に存在するハイポイントと爪上皮の中間点から爪先までの部分から、爪甲の前記第２方向の両側の側爪甲縁が側爪郭に接している部分における、前記第６領域を除く第９領域の端縁および前記第１０領域の端縁に向かって研削する第４研削ステップを更に含む、
請求項３に記載の爪装飾方法。
【請求項５】
爪甲における少なくとも前記境界部分に前記樹脂層が形成されていない部分が存在した状態において、
前記第１ジェル載置ステップの前に、爪甲の２つのストレスポイントよりも爪先側の部分に形成された樹脂層を研削工具により研削した後、爪甲の２つのストレスポイントよりも爪上皮側の部分に形成された樹脂層を研削工具により研削する第５研削ステップを更に含む、
請求項１乃至４のいずれか１項に記載の爪装飾方法。
【請求項６】
爪甲の表面における第１領域に第１ジェルの塊を載置する第１ジェル載置ステップと、
ジェルブラシを前記第１ジェルに接触させた状態で、爪甲における爪上皮との境界部分からの距離が前記第１領域の中央部と爪上皮との間の最短距離よりも短い領域内において前記ジェルブラシで螺旋を描くように、前記ジェルブラシを前記境界部分に沿って移動させていくことにより、前記第１領域に載置された前記第１ジェルを爪甲の表面に沿って爪上皮に向かって引き延ばしつつ爪甲における爪上皮との境界部分に沿って引き延ばした後、側爪甲縁に沿って前記第１ジェルを引き延ばすことにより、前記境界部分から前記側爪甲縁に至る第２領域全体に前記第１ジェルを塗布する第１ジェル塗布ステップと、
爪甲において前記第１領域と重なり且つ前記第１領域よりも爪先側に位置する第３領域に第２ジェルの塊を載置する第２ジェル載置ステップと、
前記ジェルブラシを用いて、前記第２ジェルで一方の側爪甲縁を包むようにして前記一方の側爪甲縁に沿って爪先に向かう方向へ前記第２ジェルを引き延ばすことにより、爪上皮から爪先へ向かう第１方向に直交する第２方向における爪甲の両端部それぞれの第４領域のうちのいずれか一方に前記第２ジェルを塗布した後、前記第３領域に載置された前記第２ジェルを爪先に向かって引き延ばすことにより、爪甲の前記第３領域よりも爪先側における前記第４領域以外の第５領域全体に前記第２ジェルを塗布し、その後、前記第２ジェルで他方の側爪甲縁を包むようにして前記他方の側爪甲縁に沿って爪先に向かう方向へ前記第２ジェルを引き延ばすことにより、前記第２方向における爪甲の両端部それぞれの第４領域のうちの他方に前記第２ジェルを塗布する第２ジェル塗布ステップと、
前記第１ジェルおよび前記第２ジェルを硬化させることにより爪甲の表面に樹脂層を形成する樹脂層形成ステップと、
側爪甲縁における２つのストレスポイントよりも爪上皮側の部分および前記境界部分に沿った予め設定された基準長さ以上の幅を有する第６領域に形成された樹脂層を、先端部に円筒状の砥石が取り付けられ前記砥石が前記砥石の中心軸と一致する軸周りに回転する研削工具により研削する第１研削ステップと、
爪甲の２つのストレスポイントよりも爪先側の部分の前記第２方向における両端部それぞれに位置する２つの第７領域に形成された樹脂層を、前記研削工具により研削する第２研削ステップと、
爪甲の前記２つの第７領域の間における前記２つのストレスポイントよりも爪先側に位置する第８領域に形成された樹脂層を、前記研削工具により研削する第３研削ステップと、
を含み、
前記第２ジェル塗布ステップにおいて、前記ジェルブラシを、爪甲の爪先に移動させたとき、前記爪甲の爪先で前記ジェルブラシの移動を停止させることなく同じ方向へ移動させ続け、
前記第１研削ステップにおいて、前記砥石の回転軸は、爪甲の前記第２方向における中心を通り且つ前記第１方向に延伸する第１仮想直線と爪甲の爪上皮との境界部分との交点と、前記第１仮想直線における爪上皮と爪甲との境界と爪先との間の線分を２等分する位置に存在するハイポイントから前記第２方向に沿って延在する第３仮想直線と側爪甲縁との交点と、結ぶ第４仮想直線と交差し、
前記第２研削ステップにおいて、前記砥石の回転軸と前記第１仮想直線とのなす鋭角側の角度は、８５°以上且つ９０°以下の角度に設定され、
前記第３研削ステップにおいて、前記砥石の回転軸と前記第１仮想直線とのなす鋭角側の角度は、８５°以上且つ９０°以下の角度に設定される、
爪装飾方法。